(57)【特許請求の範囲】
【請求項１】
床配線用の二重床を形成すべく、複数が基礎床面上に敷設される、平面視が略四角形の床材であって、
前記二重床の配線ピットを覆う蓋材の一方側、または、互いに接して隣り合う前記床材を連結する連結材の一方側が、載置される段部を、上面の各辺に備えるとともに、
前記床材から分離される分離片を形成すべく切断可能な切断部を備え、
前記切断部は、一つの前記床材の複数の前記分離片、または、複数の前記床材の前記分離片が組み合わされて、前記床材とは異なる形状または大きさのブロック体であって、上面の各辺に前記段部が備わるブロック体を作成可能となるよう、設けられることを特徴とする配線用床材。
【請求項２】
前記ブロック体を構成する前記分離片には、組み合わされるそれら分離片を互いに組み付けるための組付手段が備わることを特徴とする請求項１に記載の配線用床材。
【請求項３】
前記組付手段は、前記分離片間に渡される組付部材の一方側が取り付けられる取付部からなることを特徴とする請求項２に記載の配線用床材。
【請求項４】
前記取付部は、前記組付部材が収容される収容凹部と、前記組付部材を固定するためのビスがねじ込まれるビス孔とからなることを特徴とする請求項３に記載の配線用床材。
【請求項５】
前記切断部は、前記分離片が、前記床材の一つの隅角部を含む平面視が略三角形となるよう、設けられることを特徴とする請求項１ないし４のいずれか１項に記載の配線用床材。
【請求項６】
前記床材は、平面視が略長方形に形成されて、前記切断部となる第１の切断部と第２の切断部とを備え、
前記第１の切断部は、前記略長方形の一方の長辺の一端側の一の隅角頂部から、前記一方の長辺に対してほぼ４５°の角度で、他方の長辺に達するよう延びており、
前記第２の切断部は、前記一方の長辺の他端側の他の隅角頂部から、前記一方の長辺に対してほぼ４５°の角度で、前記他方の長辺に達するよう延びていることを特徴とする請求項１ないし４のいずれか１項に記載の配線用床材。
【請求項７】
前記ブロック体は、他の前記ブロック体または前記床材等の床材と連結するための連結体の一方側が係合する係合部を備えることを特徴とする請求項１ないし６のいずれか１項に記載の配線用床材。
【発明の詳細な説明】
【０００１】
【発明の属する技術分野】
この発明は、床配線用の二重床を形成する配線用床材に関するものである。
【０００２】
【従来の技術】
従来、床配線用の二重床を形成するための床材は、隣り合う床材間に配線ピットを形成するよう、基礎床面上に所定間隔をおいて敷設された。そして、上記配線ピットを覆う平板状の蓋材が、隣り合う床材間に架設された。このとき、床材上面の各辺には、段部が形成されており、この段部に蓋材の一方側が載置されることで、蓋材は、位置決めされるとともに、蓋材上面は、床材上面と面一となった。
【０００３】
ここで、二重床内に、大型の配線器具等を収容したり、通常の配線ピットよりも幅広の配線ピットを形成したりするために、必要な空間を確保する場合には、床材の一部を切断除去し、床材よりも小片となる分離片を形成することで、床材の除去空間部分を、配線器具等の収容空間として、また幅広の配線ピットとして利用していた。
【０００４】
また、多量のケーブル配線を収容可能な大型配線ピット（幹線）のコーナー部等を形成する場合には、上記と同様に床材から分離片を形成して、その分離片と切断前の床材とを適宜使用して敷設することで、それぞれに適した床レイアウトを構成することが行われていた。
【０００５】
【発明が解決しようとする課題】
ところで、上記従来の床材にあっては、床材から分離片を形成した場合、分離片の、切断された辺には、段部がないため、その部分には、蓋材を載置することができなかった。そこで、平板状の蓋材ではなく、自身で基礎床面上に立脚するよう脚部を備えた蓋材を別途製作しなければならなかった。このような脚部を備えた蓋材を製作するのは不経済であり、また、空間内で、脚部が邪魔となって、配線器具等やケーブル配線の収容に障害となる等の問題もあった。
【０００６】
この発明は、上記した従来の欠点を解決するためになされたものであり、その目的とするところは、床材から分離される分離片の使用にあたって、配線ピット等を覆う蓋材に脚部を設ける必要のない配線用床材を提供することにある。
【０００７】
【課題を解決するための手段】
この発明に係る配線用床材は、前記目的を達成するために、次の構成からなる。すなわち、
請求項１に記載の発明に係る配線用床材は、床配線用の二重床を形成すべく、複数が基礎床面上に敷設される、平面視が略四角形の床材である。この床材は、前記二重床の配線ピットを覆う蓋材の一方側、または、互いに接して隣り合う前記床材を連結する連結材の一方側が、載置される段部を、上面の各辺に備えるとともに、前記床材から分離される分離片を形成すべく切断可能な切断部を備える。そして、前記切断部は、一つの前記床材の複数の前記分離片、または、複数の前記床材の前記分離片が組み合わされて、前記床材とは異なる形状または大きさのブロック体であって、上面の各辺に前記段部が備わるブロック体を作成可能となるよう、設けられる。
【０００８】
これにより、床材を、切断部において切断することで、分離片が得られる。そして、分離片を組み合わせて作成される、床材とは異なる形状または大きさのブロック体は、上面の各辺に段部が備わる。従って、この、床材とは異なる形状または大きさのブロック体を使用することで、二重床内の、配線ピットや、配線器具等の収容空間を、適宜の形状にすることができる。しかも、ブロック体は、上面の各辺に段部を備えており、その段部に、配線ピットや前記収容空間を覆う蓋材の一方側を載置することができる。また、段部が、連結材を載置する段部である場合には、連結材によって、このブロック体と、床材や他のブロック体とを連結することができる。
【０００９】
また、請求項２に記載の発明に係る配線用床材のように、前記ブロック体を構成する前記分離片には、組み合わされるそれら分離片を互いに組み付けるための組付手段が備わっていてもよい。こうして、組付手段により、分離片が組み付けられて、ブロック体が形成されるので、このブロック体は、形状が崩れることなく、基礎床面上に敷設される。
【００１０】
また、請求項３に記載の発明に係る配線用床材のように、前記組付手段は、前記分離片間に渡される組付部材の一方側が取り付けられる取付部からなってもよい。こうして、分離片の取付部に、これら分離片間に渡される組付部材の一方側がそれぞれ取り付けられることで、これら分離片は組み付けられて、ブロック体が形成される。
【００１１】
また、請求項４に記載の発明に係る配線用床材のように、前記取付部は、前記組付部材が収容される収容凹部と、前記組付部材を固定するためのビスがねじ込まれるビス孔とからなってもよい。こうして、分離片を組み付けるにあたって、組付部材が、取付部の収容凹部に収容され、ビスが、取付部のビス孔にねじ込まれる。こうして、この組付部材は、各分離片の取付部に固定されて、これら分離片は組み付けられる。
【００１２】
また、請求項５に記載の発明に係る配線用床材のように、前記切断部は、前記分離片が、前記床材の一つの隅角部を含む平面視が略三角形となるよう、設けられてもよい。こうして、床材を、切断部において切断することで、床材の一つの隅角部を含む平面視が略三角形の分離片を得ることができる。この分離片は、切断部を除く前記隅角部を含む二辺に段部がある。従って、こうしてできた二つの分離片を、切断部を合わせるようにして組み合わせて、ブロック体を作成すれば、ブロック体は、平面視が略四角形となり、ブロック体の上面の各辺に段部が備わることになる。
【００１３】
また、請求項６に記載の発明に係る配線用床材のように、前記床材は、平面視が略長方形に形成されて、前記切断部となる第１の切断部と第２の切断部とを備えてもよい。ここで、前記第１の切断部は、前記略長方形の一方の長辺の一端側の一の隅角頂部から、前記一方の長辺に対してほぼ４５°の角度で、他方の長辺に達するよう延びている。そして、前記第２の切断部は、前記一方の長辺の他端側の他の隅角頂部から、前記一方の長辺に対してほぼ４５°の角度で、前記他方の長辺に達するよう延びている。
【００１４】
これにより、床材を、第１または第２の切断部において切断することで、平面視が略直角二等辺三角形の分離片と、平面視が略台形の分離片が得られる。そこで、例えば、略直角二等辺三角形の分離片を二つ、切断部を合わせるようにして組み合わせて、ブロック体を作成すれば、ブロック体は、平面視が略正方形となり、ブロック体の上面の各辺に段部が備わることになる。また、第１の切断部を切断して得られる略台形の分離片と、第２の切断部を切断して得られる略台形の分離片とを、切断部を合わせるようにして組み合わせて、ブロック体を作成すれば、ブロック体は、平面視が略Ｌ字形状となり、ブロック体の上面の各辺に段部が備わることになる。
【００１５】
また、請求項７に記載の発明に係る配線用床材のように、前記ブロック体は、他の前記ブロック体または前記床材等の床材と連結するための連結体の一方側が係合する係合部を備えてもよい。こうして、連結体を使用することで、ブロック体を、他のブロック体または床材と連結することができる。
【００１６】
【発明の実施の形態】
以下、この発明に係る配線用床材の実施の形態を図面に基づいて説明する。
【００１７】
図１ないし図８は、本発明に係る配線用床材の第一の実施の形態を示す。図中符号１は、基礎床面である。２および３は、床材であって、両者は、例えば、ポリプロピレン樹脂等の合成樹脂材料からなり、床配線用の二重床を形成すべく、複数が基礎床面１上に敷設される。このうち、床材２は、二重床の大半を占める基準の床材である。そして、床材３は、多量のケーブルＫを収容可能な幹線７を形成するための幹線用の床材であって、この発明に係る配線用床材を示している。
【００１８】
ここで、床材２は、図５に示すように、平面視が略正方形で、上面が平らな所定高さの本体部２ａを備えている。床材２は、この本体部２ａが、例えば、前後左右に通る配線ピットＰ１、Ｐ１を形成するように所定間隔をおいて基礎床面１上に敷設される。そして、本体部２ａには、その上面の縁部全周に、上面から一段下がった段部Ｄ１が形成されている。また、床材２は、配線ピットＰ１内に収容されるケーブルＫの上方を覆ってそのケーブルＫの飛び出しを防止する飛出防止片２ｂ、２ｂが、本体部２ａと一体に樹脂成形されている。この飛出防止片２ｂは、薄板状に形成されており、この材料の持つ弾性により、上下に弾性的に撓むことができる。こうして、飛出防止片２ｂが水平位置から下方または上方に撓んで、その両先端間が開くことで、ケーブルＫを配線ピットＰ１へ入れたり、配線ピットＰ１内に収容されたケーブルＫを配線ピットＰ１から出したりすることができる。また、床材２には、その本体部２ａの各辺に、上面側に開口し側面に通ずる、鉤状に折れ曲がって延びる係合溝Ｍ１、Ｍ１が形成されている。
【００１９】
幹線用の床材３は、平面視が略四角形としての略長方形からなり、上面が平らで、床材２と同一の高さであって、その長辺の長さは、床材２の本体部２ａの一辺の長さの約半分の長さとなっている。この床材３は、その上面の一方の長辺の全長にわたって、床材２における段部Ｄ１と同一の高さとなるよう、上面から一段下がった段部Ｄ２を備えており、また、他方の長辺の全長にわたって、前記段部Ｄ２よりも低くなるよう、上面から一段下がった段部Ｄ３を備えている。さらに、床材３は、その上面の各短辺に、上面から矩形状に一段下がった段部Ｄ４を備えている。そして、この段部Ｄ４の先端側の両サイドには、第１の溝３ａ、３ａが設けられており、段部Ｄ４の奥側には、第２の溝３ｂが設けられている。さらに、床材３には、一方の長辺の両端付近に、前記床材２の係合溝Ｍ１と同様の、係合部としての係合溝Ｍ２が設けられている。
【００２０】
また、幹線用の床材３は、この床材３から分離される後述する分離片Ｒ１、Ｒ２、Ｒ３、Ｒ４を形成すべく切断可能な切断部となる第１および第２の切断部Ｃ１、Ｃ２を備えている。具体的には、第１の切断部Ｃ１は、この床材３の略長方形の一方の長辺の一端側の一の隅角頂部から、前記一方の長辺に対してほぼ４５°の角度で、他方の長辺に達するよう延びている。同様に、第２の切断部Ｃ２は、前記一方の長辺の他端側の他の隅角頂部から、前記一方の長辺に対してほぼ４５°の角度で、前記他方の長辺に達するよう延びている。そして、これら切断部Ｃ１、Ｃ２は、上面側のＶ字状に切り欠かれた上溝３ｃと、下面側の深く切り欠かれた下溝３ｄとを有して、薄肉に形成されており、床材３は、これら切断部Ｃ１、Ｃ２において容易に切断できるようになっている（図２参照）。
【００２１】
ここで、実際に、床材を、第１の切断部Ｃ１において切断すると、床材の前記他方の長辺の一端側の一つの隅角部３ｅを含む平面視が略直角二等辺三角形の分離片Ｒ１と、平面視が略台形の分離片Ｒ２が得られる。同様に、床材３を、第２の切断部Ｃ２において切断すると、床材３の前記他方の長辺の他端側の一つの隅角部３ｆを含む平面視が略直角二等辺三角形の分離片Ｒ３と、平面視が略台形の分離片Ｒ４が得られる。そこで、略直角二等辺三角形の、分離片Ｒ１と分離片Ｒ３とを、切断部Ｃ１、Ｃ２を合わせるようにして組み合わせてブロック体Ｂ１を作成すると、ブロック体Ｂ１は、平面視が略正方形となり、ブロック体Ｂ１の上面の各辺に、床材３における段部Ｄ３、Ｄ４が備わることとなる。さらに、段部Ｄ４の備わる二辺が交わる部分には、床材３における段部Ｄ２が備わっている。また、略台形の、分離片Ｒ２と分離片Ｒ４とを、切断部Ｃ１、Ｃ２を合わせるようにして組み合わせてブロック体Ｂ２を作成すると、ブロック体Ｂ２は、平面視が略Ｌ字形状となり、フロック体Ｂ２の上面の各辺に、床材３における段部Ｄ２、Ｄ３、Ｄ４が備わることとなる。このように、第１および第２の切断部Ｃ１、Ｃ２は、一つの床材３の複数の分離片Ｒ１、Ｒ３、または、複数の床材３、３の分離片Ｒ１、Ｒ３（Ｒ２、Ｒ４）が組み合わされて、前記床材３とは異なる形状または大きさのブロック体Ｂ１、Ｂ２であって、前記段部Ｄ２、Ｄ３、Ｄ４が上面の各辺に備わるブロック体Ｂ１、Ｂ２を作成可能となるよう、設けられている。そして、この略Ｌ字形状のブロック体Ｂ２に備わることとなる係合溝Ｍ２は、床材２と連結するための後述する連結体９の一方側が係合する係合部となっている。
【００２２】
また、床材３には、切断部Ｃ１、Ｃ２を挟む両側に、互いに向かい合って連通する収容凹部Ｓ１、Ｓ１がそれぞれ設けられており、さらに、これら収容凹部Ｓ１、Ｓ１の底面には、ビス孔Ｈ１がそれぞれ設けられている（図２参照）。そして、床材３を、切断部Ｃ１、Ｃ２において切断した際には、互いに向かい合って連通していた収容凹部Ｓ１、Ｓ１は、分離片Ｒ１、Ｒ２、Ｒ３、Ｒ４と共に分離し、その後に、分離片Ｒ１、Ｒ３（Ｒ２、Ｒ４）を組み合わせてブロック体Ｂ１（Ｂ２）を作成した際には、それぞれの分離片Ｒ１、Ｒ２、Ｒ３、Ｒ４に設けられた収容凹部Ｓ１、Ｓ１は、再び互いに向かい合って連通する。このとき、収容凹部Ｓ１、Ｓ１およびビス孔Ｈ１、Ｈ１は、組み合わされる分離片Ｒ１、Ｒ３（Ｒ２、Ｒ４）を互いに組み付けるための組付手段となっている。つまり、組付手段である、収容凹部Ｓ１およびビス孔Ｈ１は、分離片Ｒ１、Ｒ３（Ｒ２、Ｒ４）間に渡される平板状の組付部材４（図３、図４参照）の一方側が取り付けられる取付部Ｔ１となっている。そして、収容凹部Ｓ１、Ｓ１に、組付部材４が収容され、また、ビス孔Ｈ１、Ｈ１に、組付部材４を固定するためのビス５、５が、組付部材４に形成された貫通孔４ａ、４ａを通って、ネジを切るようにしてねじ込まれる。
【００２３】
そして、この幹線用の床材３は、二つが長手方向に突き合わされるとともに連結材６により互いに連結されて、その二つ単位で、幹線７に沿う床材２の本体部２ａの一辺と、ちょうど対向するようにして並べられる。すなわち、板状で両サイドの中央部分が下方に折れ曲がった連結材６の一方側が、床材３の段部Ｄ４に載置されるとともに、連結材６の下方に折れ曲がった先端部分が、段部Ｄ４に形成された第１の溝３ａ、３ａに挿入されることで、床材３、３は互いに連結される。
【００２４】
ここで、図５および図６は、幹線７が直角に折れ曲がって延設された二重床の構造を示している。この構造において、ブロック体Ｂ１、Ｂ２は、幹線７の折れ曲がるコーナー部に配備される。つまり、略正方形のブロック体Ｂ１は、コーナー部の内側に、このブロック体Ｂ１の段部Ｄ４、Ｄ４が、幹線用の床材３、３の段部Ｄ４、Ｄ４と、離れて向かい合うように配備される。そして、略Ｌ字形状のブロック体Ｂ２は、コーナー部の外側に、このブロック体Ｂ２の段部Ｄ４、Ｄ４が、幹線用の床材３、３の段部Ｄ４、Ｄ４と、接して向かい合うように配備される。そして、ブロック体Ｂ２と、幹線用の床材３とは、前記連結材６によって、床材３、３同士の連結と同様にして、互いに連結される。
【００２５】
また、図７は、幹線７、７がＴ字状に交わるよう延設された二重床の構造を示している。この構造においては、ブロック体Ｂ１は、幹線７のＴ字状に交わるコーナー部の内側に、前記と同様にして、このブロック体Ｂ１の段部Ｄ４、Ｄ４が、幹線用の床材３、３の段部Ｄ４、Ｄ４と、離れて向かい合うように配備される。
【００２６】
また、図８は、幹線７、７が十字状に交わるよう延設された二重床の構造を示している。この構造においては、ブロック体Ｂ１は、幹線の十字状に交わるコーナー部の内側に、前記と同様にして、このブロック体Ｂ１の段部Ｄ４、Ｄ４が、幹線用の床材３、３の段部Ｄ４、Ｄ４と、離れて向かい合うように配備される。
【００２７】
そして、図５ないし図８において、幹線７の幅中央には、その幹線７に沿ってサポート部材８、８が配備されている。このサポート部材８は、例えば、ポリ塩化ビニル樹脂等の合成樹脂材料等が押出成形等されて長尺に形成されている。さらに、サポート部材８は、幹線用の床材３と同一の高さであり、長手方向の全長に渡って、幅中央を残して両側に上面から一段下がった段部８ａ、８ａが形成されている。
。
【００２８】
こうして、サポート部材８、８と、幹線用の床材３、３およびブロック体Ｂ１、Ｂ２との間が、幹線７を形成する大型配線ピットＰ２、Ｐ２となり、また、基準の床材２、２と、幹線用の床材３、３およびブロック体Ｂ１、Ｂ２との間が、補助配線ピットＰ３、Ｐ３となっている。そして、前記二つ単位の幹線用の床材３、３の、各単位間、および、ブロック体Ｂ１と幹線用の床材３、３との間は、大型配線ピットＰ２から、補助配線ピットＰ３や床材２、２間の配線ピットＰ１に通ずる連絡配線ピットＰ４，Ｐ４となっている。
【００２９】
そして、ケーブルＫが配線ビットＰ１、Ｐ２、Ｐ３、Ｐ４内に収容されると、図５に示すように、略Ｓ字状に折れ曲がって形成された棒状の連結体９によって、基準の床材２、２同士、幹線用の床材３と基準の床材２、そして、ブロック体Ｂ２と基準の床材２は、互いに連結される。つまり、連結体９の各一方側の先端部分が、それぞれ、床材２、３の係合溝Ｍ１、Ｍ２やブロック体Ｂ２の係合溝Ｍ２に挿入されて係合することで、これら床材２、３やブロック体Ｂ２は連結される。
【００３０】
その後、配線ピットＰ１は、隣り合う床材２、２の段部Ｄ１、Ｄ１に架け渡される蓋材１０によって覆われる。また、大型配線ピットＰ２は、サポート部材８の段部８ａと幹線用の床材３およびプロック体Ｂ１、Ｂ２の段部Ｄ３とに架け渡される蓋材１１によって覆われる。また、配線ピットＰ１と同様にして、補助配線ピットＰ３は、床材２の段部Ｄ１と幹線用の床材３およびブロック体Ｂ１、Ｂ２の段部Ｄ２とに架け渡される蓋材１０によって覆われる。そして、連絡配線ピットＰ４は、幹線用の床材３、３の離れて向かい合う段部Ｄ４、Ｄ４に架け渡される蓋材１２によって覆われる。
【００３１】
そして、最後に、床材２、３、ブロック体Ｂ１、Ｂ２、サポート部材８および蓋材１０、１１、１２の上にカーペット（図示せず）が敷かれる。なお、ここで、蓋材１０と、カーペットとは、別体となっているが、カーペットの下面に、予め蓋材１０を貼り付けたものを使用してもよい。
【００３２】
次に、以上の構成からなる配線用床材の作用効果について説明する。幹線用の床材３から分離される分離片Ｒ１、Ｒ３（Ｒ２、Ｒ４）を組み合わせて作成されるブロック体Ｂ１（Ｂ２）は、床材３とは異なる形状、つまり、平面視が略正方形や略Ｌ字形状となり、このブロック体Ｂ１（Ｂ２）を使用することで、二重床内の大型配線ピットＰ２を、適宜の形状にすることができる（図６ないし図８参照）。しかも、ブロック体Ｂ１、Ｂ２は、上面の各辺に段部Ｄ２、Ｄ３、Ｄ４を備えており、その段部Ｄ２、Ｄ３、Ｄ４に、配線ピットＰ２、Ｐ３、Ｐ４を覆う蓋材１０、１１、１２の一方側を載置することができる。また、ブロック体Ｂ２と幹線用の床材３とが接する部分においては、それぞれの段部Ｄ４、Ｄ４に架け渡されるようにして載置される連結材６によって、このブロック体Ｂ２と、幹線用床材３とを連結することができる。このように、二つの分離片Ｒ１、Ｒ３（Ｒ２、Ｒ４）からなるブロック体Ｂ１（Ｂ２）の周囲に配備する蓋材１０、１１、１２（１０、１１）の一方側を段部Ｄ２、Ｄ３、Ｄ４（Ｄ２、Ｄ３）に載置することができるので、分離片Ｒ１、Ｒ３（Ｒ２、Ｒ４）の使用にあたって、配線ピットＰ２、Ｐ３、Ｐ４（Ｐ２、Ｐ３）を覆う蓋材１０、１１、１２（１０、１１）に、基礎床面１に立脚する脚部を設ける必要がない。
【００３３】
また、分離片Ｒ１、Ｒ３（Ｒ２、Ｒ４）には、収容凹部Ｓ１およびビス孔Ｈ１からなる取付部Ｔ１が設けられており、これら収容凹部Ｓ１、Ｓ１に組付部材４の各一方側が収容され、ビス孔Ｈ１、Ｈ１にビス５、５がねじ込まれることで、分離片Ｒ１、Ｒ３（Ｒ２、Ｒ４）は組み付けられる。このように、分離片Ｒ１、Ｒ３（Ｒ２、Ｒ４）が組み付けられて、ブロック体Ｂ１（Ｂ２）が形成されるので、ブロック体Ｂ１（Ｂ２）を、形状が崩れることなく、基礎床面１上に敷設することができる。しかも、組付部材４と、その組付部材４を取付部Ｔ１に固定するビス５とを使用することで、分離片Ｒ１、Ｒ３（Ｒ２、Ｒ４）を、確実に組み付けることができる。
【００３４】
また、ブロック体Ｂ２は、連結体９の一方側が係合する係合溝Ｍ２を備えており、この連結体９を使用することで、ブロック体Ｂ２を、床材２と連結することができる。また、ブロック体Ｂ２の配置によっては、連結体９を使用することで、ブロック体Ｂ２を、他のブロック体Ｂ２と連結することも考えられる。
【００３５】
図９は、本発明に係る配線用床材の第二の実施の形態を示す。この第二の実施の形態における配線用床材としての幹線用の床材２１は、第一の実施の形態に示す幹線用の床材３とは、切断部の位置が異なるのみで他は同一である。すなわち、床材２１の切断部となる第１および第２の切断部Ｃ３、Ｃ４は、この床材２１の平面視が略長方形の短辺と平行に、それぞれの短辺寄りの位置を、床材２１を横切るように延びている。
【００３６】
ここで、床材２１を、第１の切断部Ｃ３において切断すると、平面視が略矩形の分離片Ｒ５が得られる。そして、床材２１を、第２の切断部Ｃ４において切断すると、同様に平面視が略矩形の分離片Ｒ６が得られる。そこで、これら分離片Ｒ５、Ｒ６を、切断部Ｃ３、Ｃ４を合わせるようにして組み合わせると、床材２１とは異なる形状の、平面視が略矩形のブロック体Ｂ３が作成される。そして、このブロック体Ｂ３の上面の各辺に、床材２１における段部Ｄ２、Ｄ３、Ｄ４が備わることとなり、第一の実施の形態と同様の、作用効果を得ることができる。
【００３７】
また、図示しないが、床材２１を、第１および第２の両切断部Ｃ３、Ｃ４において切断すると、前記分離片Ｒ５、Ｒ６だけでなく、中間の分離片が得られる。そして、前記ブロック体Ｂ３の分離片Ｒ５、Ｒ６間に、得られた中間の分離片を複数個挿入するようにして組み合わせれば、上面の各辺に段部Ｄ２、Ｄ３、Ｄ４が備わる、適宜長さのブロック体を得ることができる。
【００３８】
図１０ないし図１２は、本発明に係る配線用床材の第三の実施の形態を示す。この第三の実施の形態における配線用床材としての床材３１は、第一の実施の形態に示す床材２と同様の、二重床の大半を占める基準の床材であり、床材２と比べると、飛出防止片２ｂが削除されている点、切断部Ｃ５および、組付手段としての取付部Ｔ１が追加されている点が異なるが、他はほぼ同一である。すなわち、切断部Ｃ５は、第一の実施の形態に示す切断部Ｃ１、Ｃ２と同様の構造であり、この床材３１の略正方形の隣り合う辺の、それら隣り合う辺が交わる隅角部３１ａから同一距離にある点を結ぶよう延びている。また、取付部Ｔ１は、第１の実施の形態に示す取付部Ｔ１と同様の構造であり、切断部Ｃ５を挟む一方側であって、後述する分離片Ｒ７側にのみ設けられている。そして、前記隅角部３１ａと、前記切断部Ｃ５の各端部との間には、第一の実施の形態に示す係合溝Ｍ２に相当する、上面側に開口し側面に通ずる、断面略逆Ｌ字形状の、係合部としの係合溝Ｍ３が設けられている。
【００３９】
そして、床材３１を、切断部Ｃ５において切断すると、床材３１の一つの隅角部３１ａを含む平面視が略直角二等辺三角形の分離片Ｒ７が得られる。そこで、これら分離片Ｒ７、Ｒ７を、切断部Ｃ５、Ｃ５を合わせるようにして組み合わせると、床材３１とは異なる大きさであって、床材３１よりも小さな、平面視が略正方形のブロック体Ｂ４が作成される。このとき、分離片Ｒ７、Ｒ７に設けられた収容凹部Ｓ１、Ｓ１は、互いに向かい合って連通し、第１の実施の形態と同様に、収容凹部Ｓ１、Ｓ１に収容される組付部材４と、ビス孔Ｈ１、Ｈ１にねじ込まれるビス５、５によって、これら分離片Ｒ７、Ｒ７は、組み付けられる。そして、このブロック体Ｂ４の上面の各辺に、床材３１における段部Ｄ１が備わることとなる。また、このブロック体Ｂ４に備わることとなる係合溝Ｍ３は、他のブロック体Ｂ４または床材３１と連結するための後述する連結体３２の一方側が係合する係合部となっている。
【００４０】
ここで、図１１および図１２は、それぞれ、二重床内に配線器具やケーブルの収容空間Ｑを形成するための、二重床の構造を示している。この構造においては、配線ピットＰ１を形成するために前後左右に離れて並ぶ床材３１、３１の一つが取り除かれて、前記収容空間Ｑを除く部分に、ブロック体Ｂ４が配備される。すなわち、図１１においては、ブロック体Ｂ４は、右側に、前後に離れて二つ配備され、左側が収容空間Ｑとなり、また、ブロック体Ｂ４、Ｂ４とその前後および右側の床材３１、３１との間は、配線ピットＰ５となり、さらに、ブロック体Ｂ４、Ｂ４間は、配線ピットＰ６となっている。そして、図１２においては、ブロック体Ｂ４は、中央に一つ配備され、そのブロック体Ｂ４の回りが収容空間Ｑとなっている。
【００４１】
そして、ケーブルや配線器具が、配線ピットＰ１、Ｐ５、Ｐ６や収容空間Ｑ内に収容されると、両端が下方に折れ曲がって形成された板状の連結体３２によって、床材３１と床材３１（図１１および図１２参照）、ブロック体Ｂ４と床材３１（図１１参照）、ブロック体Ｂ４とブロック体Ｂ４（図１１参照）は、互いに連結される。つまり、連結体３２の各一方側の下方に折れ曲がった先端部分が、それぞれ、床材３１の係合溝Ｍ３やブロック体Ｂ４の係合溝Ｍ３に挿入されて係合することで、これら床材３１やブロック体Ｂ４は連結される。
【００４２】
その後、図１１および図１２において、配線ピットＰ１は、隣り合う床材３１、３１の段部Ｄ１、Ｄ１に架け渡される蓋材１０によって覆われ、収容空間Ｑは、床材３１の段部Ｄ１とブロック体Ｂ４の段部Ｄ１とに架け渡される蓋材３３によって覆われる。そして、図１１において、配線ピットＰ５は、床材３１の段部Ｄ１とブロック体Ｂ４の段部Ｄ１とに架け渡される蓋材１０によって覆われ、また、配線ピットＰ６は、隣り合うブロック体Ｂ４、Ｂ４の段部Ｄ１、Ｄ１に架け渡される蓋材１０によって覆われる。そして、最後に、第一の実施の形態と同様に、カーペット（図示せず）が敷かれる。
【００４３】
この第三の実施の形態における床材３１の作用効果は、第一の実施の形態とほぼ同様であるが、ブロック体Ｂ４の上面の各辺に備わる段部Ｄ１には、配線ピットＰ５、Ｐ６を覆う蓋材１０（図１１参照）だけでなく、収容空間Ｑを覆う蓋材３３（図１１および図１２参照）の一方側が載置される。
【００４４】
図１３および図１４は、本発明に係る配線用床材の第四の実施の形態を示す。この第四の実施の形態における配線用床材としての床材４１は、第三の実施の形態に示す床材３１と同様の、二重床の大半を占める基準の床材であり、床材３１と比較すると、切断部の位置が異なるのみで他は同一である。すなわち、切断部Ｃ６は、この床材４１の平面視が略正方形の対角線上に位置する各隅角頂部から、その隅角頂部に対向する辺の中点に達するよう延びている。
【００４５】
そして、床材４１を、切断部Ｃ６において切断すると、一つの隅角部４１ａを含む平面視が略直角三角形の分離片Ｒ８が得られる。そこで、これら分離片Ｒ８、Ｒ８を、切断部Ｃ６、Ｃ６を合わせるようにして組み合わせると、床材４１とは異なる形状であって、床材４１よりも小さな、平面視が略長方形のブロック体Ｂ５が作成される。そして、このブロック体Ｂ５の上面の各辺に、床材４１における段部Ｄ１が備わることとなる。
【００４６】
ここで、図１４は、第三の実施の形態と同様に、二重床内に配線器具やケーブルの収容空間Ｑを形成するための、二重床の構造を示しており、第三の実施の形態と同様の、作用効果を得ることができる。
【００４７】
図１５ないし図１７は、本発明に係る配線用床材の第五の実施の形態を示す。この第五の実施の形態における配線用床材としての床材５１は、第三の実施の形態に示す床材と同様の、二重床の大半を占める基準の床材であり、床材３１とは、切断部の位置が異なるのみで他は同一である。すなわち、切断部Ｃ７は、この床材５１の平面視が略正方形の隣り合う辺の中点を結ぶよう延びている。
【００４８】
そして、床材５１を、切断部Ｃ７において切断すると、第三の実施の形態と同様に、床材５１の一つの隅角部５１ａを含む平面視が略直角二等辺三角形の分離片Ｒ９が得られる。そこで、これら分離片Ｒ９、Ｒ９を、切断部Ｃ７、Ｃ７を合わせるようにして組み合わせると、床材５１とは異なる大きさであって、床材５１よりも小さな、平面視が略正方形のブロック体Ｂ６が作成され、このブロック体Ｂ６の上面の各辺に、床材５１における段部Ｄ１が備わることとなる。
【００４９】
ここで、図１６は、第三の実施の形態と同様に、二重床内に配線器具やケーブルの収容空間Ｑを形成するための、二重床の構造を示しており、前後左右に並ぶ床材５１、５１の一つが取り除かれて、前記収容空間Ｑを除く部分に、ブロック体Ｂ６が配備される。すなわち、ブロック体Ｂ６は、三つが、Ｌ字を形成するよう、接して配備され、そのＬ字の内側が収容空間Ｑとなり、また、ブロック体Ｂ６と床材５１との間は配線ピットＰ５となっている。そして、互いに接して隣り合うブロック体Ｂ６、Ｂ６は、係合溝Ｍ３、Ｍ３に係合する連結体３２によって、互いに連結され、ブロック体Ｂ６、Ｂ６の向かい合う段部Ｄ１、Ｄ１には、その段部Ｄ１、Ｄ１を埋めるようにして充填される、帯状のシート５２が載置される。このようにして、シート５２により、ブロック体Ｂ６、Ｂ６の上面を面一にすることができる。また、シート５２は、段部Ｄ１、Ｄ１に、単に載置されるだけでもよいが、両面粘着テープもしくは接着剤等によって貼り付けられてもよい。この場合、連結体３２の他に、段部Ｄ１、Ｄ１に貼り付けられるシート５２によっても、ブロック体Ｂ６、Ｂ６が互いに連結されることとなり、この連結体３２は、なくともよい。
【００５０】
こうして、第五の実施の形態に示す床材５１においても、第三の実施の形態と同様の、作用効果を得ることができる。
【００５１】
ところで、シート５２は、図１７に示すシート材６０を、長手中央で切断したうちの一方を使用したものである。このシート材６０は、例えば、発砲ポリプロピレン樹脂等の柔軟な材料からなり、帯状に形成されている。そして、シート材６０の長手方向の中央には、両サイドに切り欠き６０ａ、６０ａが、また、幅中央に十字状の孔６０ｂが設けられている。また、シート材６０の幅中央には、このシート材６０の長手方向に沿うスリット６０ｃ、６０ｃが、断続的に複数設けられている。こうして、切り欠き６０ａ、６０ａおよび孔６０ｂにより、このシート材６０を長手中央で容易に切断することができ、また、スリット６０ｃ、６０ｃおよび孔６０ｂにより、このシート材６０を幅中央で容易に切断することができる。このようにして、シート材６０を、長手中央または幅中央で切断することにより、載置される段部Ｄ１、Ｄ１の、長さや幅に容易に対応することができる。また、こうして、切り欠き６０ａ、６０ａおよび孔６０ｂは、このシート材６０を長手方向の所定の位置で切断するための第１の切断手段となっており、同様に、スリット６０ｃ、６０ｃおよび孔６０ｂは、このシート材６０を幅方向の所定の位置で切断するための第２の切断手段となっている。もっとも、スリット６０ｃや孔６０ｂの代わりに、Ｖ溝等の溝を設けてもよく、また、容易に切断できるのであれば、切断用の目印を設けるのみでもよい。また、シート材６０の裏面に、粘着層が、予め設けられていれば、段部Ｄ１、Ｄ１等への貼り付けが容易となる。さらに、このシート材６０が、柔軟な材料で形成されて容易に伸縮することができるので、基礎床面１の不陸等に柔軟に対応することができる。
【００５２】
ここで、シート材６０の他の使用例を、図１８に示す。図１８において、配線用床材６１、６１間に、配線ピットＰ７が形成され、その配線ピットＰ７を覆う蓋材６２が、床材６１、６１に架け渡されている。そして、シート材６０が、そのまま、または切断されて、一方の床材６１と、蓋材６２とに跨って貼り付けられて、蓋材６２と一方の床材６１とは粘着固定される。こうすることで、柔軟な材質からなるシート材６０がヒンジの役割を果たし、蓋材６２の開閉が可能となる。
【００５３】
なお、本発明は、上述した実施の形態に限定されるわけではなく、その他種々の変更が可能である。例えば、分離片Ｒ１〜Ｒ９を互いに組み付けるために分離片Ｒ１〜Ｒ９に備わる組付手段は、組付部材４の一方側が取り付けられる取付部Ｔ１からなるが、組付部材４を用いることなく、それぞれの分離片Ｒ１〜Ｒ９が、凹凸等の嵌め合い等により直接組み付けられてもよい。また、組付手段は、必ずしも必要ではなく、それぞれの分離片Ｒ１〜Ｒ９が、単に組み合わされるだけでもよい。
【００５４】
また、分離片Ｒ１〜Ｒ９は、平面視が、略三角形、略台形または略矩形の形状に限定されるものではない。同様に、ブロック体Ｂ１〜Ｂ６は、略正方形や略長方形となる略矩形、または略Ｌ字形状の形状に限定されるものでもないのは勿論である。
【００５５】
また、第１の実施の形態から分かるように、平面視が略正方形のブロック体Ｂ１や、平面視が略Ｌ字形状のブロック体Ｂ２は、幹線７等の配線ピットＰ２等の折れ曲がるコーナー部に好適に使用される。ここで、例えば、略Ｌ字形状のブロック体Ｂ２が、室内のコーナー部に、段部Ｄ２のある辺が、室内の壁面に当接するようにして、配備される場合においては、この段部Ｄ２は、必ずしも必要とはならない。また、蓋材１０（１１、１２）が、基礎床面１に立脚する脚部を備える場合等においても、その蓋材１０（１１、１２）に対応する段部Ｄ２（Ｄ３、Ｄ４）は、必要とはならない。このように、ブロック体Ｂ１、Ｂ２を、配線ピットＰ２等の折れ曲がるコーナー部に好適に使用することを目的とするのであれば、ブロック体Ｂ１、Ｂ２の各辺の段部Ｄ２、Ｄ３、Ｄ４は、発明の条件とはされず、従って、床材３の各辺の段部Ｄ２、Ｄ３、Ｄ４も条件とされることはない。
【００５６】
また、第一の実施の形態、および、第三ないし第五の実施の形態においては、ブロック体Ｂ１、Ｂ２、Ｂ４、Ｂ５、Ｂ６における切断部Ｃ１、Ｃ２、Ｃ５、Ｃ６、Ｃ７は、それぞれの分離片Ｒ１〜Ｒ４、Ｒ７、Ｒ８、Ｒ９が合う、合わせ辺となっており、この合わせ辺が、ブロック体Ｂ１、Ｂ２、Ｂ４、Ｂ５、Ｂ６の各辺に対して傾斜している。従って、このブロック体Ｂ１、Ｂ２、Ｂ４、Ｂ５、Ｂ６が、蓋材１０、１１、１２、３３から押圧されたときに、合わせ辺で、押圧力が分散される。そして、この押圧力の分散によって、ブロック体Ｂ１、Ｂ２、Ｂ４、Ｂ５、Ｂ６が、合わせ辺において迫り上がるのを防止することができる。このことは、上記と同様に、ブロック体Ｂ１、Ｂ２、Ｂ４、Ｂ５、Ｂ６の各辺に段部Ｄ１〜Ｄ４が備わることとは関係がなく、ブロック体Ｂ１、Ｂ２、Ｂ４、Ｂ５、Ｂ６が壁に接して配備される場合や、蓋材１０、１１、１２、３３が、基礎床面１に立脚する脚部を備える場合等のように、ブロック体Ｂ１、Ｂ２、Ｂ４、Ｂ５、Ｂ６の各辺に段部Ｄ１〜Ｄ４が備わる必要のない場合であっても、適用される。従って、ブロック体Ｂ１、Ｂ２、Ｂ４、Ｂ５、Ｂ６の、合わせ辺における迫り上がりを防止することを目的とするのであれば、ブロック体Ｂ１、Ｂ２、Ｂ４、Ｂ５、Ｂ６の各辺の段部Ｄ１〜Ｄ４は、発明の条件とはされず、また、ブロック体Ｂ１、Ｂ２、Ｂ４、Ｂ５、Ｂ６を構成する分離片Ｒ１〜Ｒ４、Ｒ７、Ｒ８、Ｒ９は、床材３、３１、４１、５１から分離されるものでなくとも、床材３、３１、４１、５１とは別個独立に形成されたものであってもよい。
【００５７】
【発明の効果】
以上、詳述したところから明らかなように、この発明に係る配線用床材によれば、次の効果がある。
【００５８】
請求項１に記載された配線用床材によれば、複数の分離片からなるブロック体の周囲に配備する蓋材の一方側を段部に載置することができるので、分離片の使用にあたって、配線ピット等を覆う蓋材に脚部を設ける必要がない。
【００５９】
また、請求項２に記載された配線用床材によれば、ブロック体を構成する分離片は、組付手段によって組み付けられるので、ブロック体を、形状が崩れることなく、基礎床面上に敷設することができる。
【００６０】
また、請求項３に記載された配線用床材によれば、組付部材によって、分離片を組み付けることで、ブロック体が形成される。
【００６１】
また、請求項４に記載された配線用床材によれば、組付部材と、その組付部材を取付部に固定するビスとを使用することで、分離片を、確実に組み付けることができる。
【００６２】
また、請求項５に記載された配線用床材によれば、平面視が略四角形のブロック体を作成することができる。
【００６３】
また、請求項６に記載された配線用床材によれば、平面視が、略正方形や略Ｌ字形状のブロック体を作成することができる。
【００６４】
また、請求項７に記載された配線用床材によれば、連結体を使用することで、ブロック体を、他のブロック体または床材と連結することができる。
【図面の簡単な説明】
【図１】この発明に係る配線用床材の第一の実施の形態の、床材の拡大斜視図である。
【図２】同じく、図１におけるＡ−Ａ線による拡大断面図である。
【図３】同じく、平面視が略正方形のブロック体の拡大斜視図である。
【図４】同じく、平面視が略Ｌ字形状のブロック体の拡大斜視図である。
【図５】同じく、二重床の構造を示す斜視図である。
【図６】同じく、二重床の構造を示す平面図である。
【図７】同じく、二重床の他の構造を示す平面図である。
【図８】同じく、二重床のさらに他の構造を示す平面図である。
【図９】この発明に係る配線用床材の第二の実施の形態の、床材およびブロック体の拡大平面図である。
【図１０】この発明に係る配線用床材の第三の実施の形態の、床材およびブロック体の概略の平面図である。
【図１１】同じく、二重床の構造を示す概略の平面図である。
【図１２】同じく、二重床の他の構造を示す概略の平面図である。
【図１３】この発明に係る配線用床材の第四の実施の形態の、床材およびブロック体の概略の平面図である。
【図１４】同じく、二重床の構造を示す概略の平面図である。
【図１５】この発明に係る配線用床材の第五の実施の形態の、床材およびブロック体の概略の平面図である。
【図１６】同じく、二重床の構造を示す概略の平面図である。
【図１７】同じく、シート材の拡大斜視図である。
【図１８】シート材の使用例を示す、拡大断面図である。
【符号の説明】
１  基礎床面                      ３  床材（配線用床材）
３ｅ  隅角部                      ３ｆ  隅角部
４  組付部材                      ５  ビス
６  連結材                        ７  幹線
９  連結体                        １０  蓋材
１１  蓋材                        １２  蓋材
２１  床材（配線用床材）          ３１  床材（配線用床材）
３１ａ  隅角部                    ３２  連結体
３３  蓋材                        ４１  床材（配線用床材）
４１ａ  隅角部                    ５１  床材（配線用床材）
５１ａ  隅角部
Ｂ１  ブロック体                  Ｂ２  ブロック体
Ｂ３  ブロック体                  Ｂ４  ブロック体
Ｂ５  ブロック体                  Ｂ６  ブロック体
Ｃ１  第１の切断部（切断部）      Ｃ２  第２の切断部（切断部）
Ｃ３  切断部                      Ｃ４  切断部
Ｃ５  切断部                      Ｃ６  切断部
Ｃ７  切断部
Ｄ１  段部                        Ｄ２  段部
Ｄ３  段部                        Ｄ４  段部
Ｈ１  ビス孔
Ｍ２  係合溝（係合部）            Ｍ３  係合溝（係合部）
Ｐ１  配線ピット                  Ｐ２  大型配線ピット（配線ピット）
Ｐ３  補助配線ピット（配線ピット）
Ｐ４  連絡配線ピット（配線ピット）
Ｒ１  分離片                      Ｒ２  分離片
Ｒ３  分離片                      Ｒ４  分離片
Ｒ５  分離片                      Ｒ６  分離片
Ｒ７  分離片                      Ｒ８  分離片
Ｒ９  分離片
Ｓ１  収容凹部                    Ｔ１  取付部（組付手段）
【図１】
0003697117.tif 000002
【図２】
0003697117.tif 000003
【図３】
0003697117.tif 000004
【図４】
0003697117.tif 000005
【図５】
0003697117.tif 000006
【図６】
0003697117.tif 000007
【図７】
0003697117.tif 000008
【図８】
0003697117.tif 000009
【図９】
0003697117.tif 000010
【図１０】
0003697117.tif 000011
【図１１】
0003697117.tif 000012
【図１２】
0003697117.tif 000013
【図１３】
0003697117.tif 000014
【図１４】
0003697117.tif 000015
【図１５】
0003697117.tif 000016
【図１６】
0003697117.tif 000017
【図１７】
0003697117.tif 000018
【図１８】
0003697117.tif 000019